(57)【要約】【課題】環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生することがない畳床の裁断刃および畳床の裁断方法ならびに畳床の裁断装置を提供する。【解決手段】畳床１００を裁断するための畳床の裁断刃１０であって、回転駆動軸に軸着され、所定の速度で回転される略円板形状の回転刃本体１４と、回転刃本体１４の周縁に一定間隔離間して突設した曲線形状の複数の突設部１６と、突設部１６の回転方向Ａの突設面１８に配置されたチップ刃２０とを備え、チップ刃２０が回転の際に、回転刃本体１４の中心Ｏから近い部分１４ａから、遠い部分１４ｂに至るように、切断される畳床１００の切断入射面Ｐに対して接触して切断されるように構成した。【選択図】図１
2019150905.tif 000002
【特許請求の範囲】
【請求項１】
畳床を裁断するための畳床の裁断刃であって、
回転駆動軸に軸着され、所定の速度で回転される略円板形状の回転刃本体と、
前記回転刃本体の周縁に一定間隔離間して突設した曲線形状の複数の突設部と、
前記突設部の回転方向の突設面に配置されたチップ刃とを備え、
前記チップ刃が回転の際に、前記回転刃本体の中心Ｏから近い部分から、遠い部分に至るように、切断される畳床の切断入射面Ｐに対して接触して切断されるように構成したことを特徴とする畳床の裁断刃。
【請求項２】
前記回転刃本体の鉛直方向と、前記チップ刃の接線方向とで形成される、すくい角度αが、回転方向に対して、−３０°〜−６０°の範囲であることを特徴とする請求項１に記載の畳床の裁断刃。
【請求項３】
前記チップ刃の接線方向と、切断される畳床の切断入射面Ｐとで形成される、切断角度βが、回転方向に対して、０°〜−３０°の範囲であることを特徴とする請求項１から２のいずれかに記載の畳床の裁断刃。
【請求項４】
畳床を裁断する畳床の裁断方法であって、
回転駆動軸に軸着され、所定の速度で回転される略円板形状の回転刃本体と、
前記回転刃本体の周縁に一定間隔離間して突設した曲線形状の複数の突設部と、
前記突設部の回転方向の突設面に配置されたチップ刃とを備え、
前記チップ刃が回転の際に、前記回転刃本体の中心Ｏから近い部分から、遠い部分に至るように、切断される畳床の切断入射面Ｐに対して接触して切断されるように構成した畳床の裁断刃を用いて、
前記回転刃本体の中心Ｏから、切断される畳床の切断入射面Ｐまでの距離Ｘを設定して、畳床を裁断することを特徴とする畳床の裁断方法。
【請求項５】
前記回転刃本体の鉛直方向と、前記チップ刃の接線方向とで形成される、すくい角度αが、回転方向に対して、−３０°〜−６０°の範囲であることを特徴とする請求項４に記載の畳床の裁断方法。
【請求項６】
前記チップ刃の接線方向と、切断される畳床の切断入射面Ｐとで形成される、切断角度βが、回転方向に対して、０°〜−３０°の範囲であることを特徴とする請求項４から６のいずれかに記載の畳床の裁断方法。
【請求項７】
請求項1〜３のいずれかに記載の畳床の裁断刃を備えたことを特徴とする畳床の裁断装置。
【請求項８】
畳床の框側または平刺側を断面視で、上方を鉛直方向に垂直面で裁断する垂直裁断刃と、
前記畳床を断面視で、下方を内側に傾斜した傾斜面で裁断する傾斜裁断刃と
を備えた畳床の裁断装置であって、
前記垂直裁断刃、傾斜裁断刃のうち少なくとも一方が、請求項1〜３のいずれかに記載の畳床の裁断刃であることを特徴とする請求項８に記載の畳床の裁断装置。
【発明の詳細な説明】
【技術分野】
【０００１】
本発明は、例えば、縁無し畳、縁付き畳などの畳に用いる畳床の裁断刃および畳床の裁断方法ならびに畳床の裁断装置に関する。
【背景技術】
【０００２】
従来、畳を製造する際には、畳表を縫い付ける前、または、畳表を張り付ける前に、畳床の裁断装置によって、畳床の框を敷き込む部屋の寸法に合致する所定の寸法に裁断している。
【０００３】
すなわち、従来の畳床の裁断装置１０では、図４に示したように、上面視で、畳床１００の框１０２側（すなわち、短辺側）は、框１０２側の一方側１０２ａ（敷居側と反対側）は、畳床押さえ部材１１４で押さえた状態で、畳床１００の裁断方向Ｃにおいて、真っ直ぐ裁断している。
【０００４】
一方、框１０２側の他方側１０２ｂ（敷居側）は、畳を敷き詰める部屋の敷居側に配置されるため、畳を敷き詰める部屋の敷居の形状に応じて、畳床押さえ部材１１４で押さえた状状態で、畳床１００の裁断方向Ｃにおいて、例えば、図４に示したように、上面視で、内側に傾斜した状態となるようにしている。
【０００５】
この場合、図５に示したように、框１０２側の裁断は、畳を敷き詰めやすいように、断面視で、畳床１００を上方を鉛直方向に垂直面１０８で、下方を内側に傾斜した傾斜面１１２で、畳床１００を裁断するようになっている。
【０００６】
このような裁断では、図５に示したように、傾斜角度γは、厚みの厚い畳を製造する場合（例えば、厚さ３０ｍｍ〜６０ｍｍ）には、畳床１００の垂直面１０８に対して、畳床１００を約８°の傾斜角度γで裁断している。
【０００７】
一方、厚みの薄い畳（例えば、厚さ１０ｍｍ〜３０ｍｍ未満）の場合には、畳床１００の垂直面１０８に対して、畳床１００を約１３°の傾斜角度γで裁断している。
【０００８】
そして、このように裁断した畳床１００に対して、框１０２側において、畳表を藺草の方向と垂直な方向に折り曲げて、縫い付けて畳を製造している。なお、畳表の畳床１００への固定方法としては、このような縫い付け方法以外に、例えば、接着、樹脂による接着、金属または樹脂製のステープルを打ち付ける固定方法など、種々の方法がある。
【０００９】
このような従来の畳床の裁断装置としては、例えば、特許文献１（特許第５１２０９３５号公報）、特許文献２（特開２０１１−９９２１５号公報）に開示されるような畳床の裁断装置が開示されている。
【００１０】
このように構成される従来の畳床の裁断装置２００では、図６（Ａ）の断面図に示したように、畳床１００の裁断方向Ｃにおいて、上流側に設けた垂直裁断刃２０４により、畳床１００の上方に鉛直方向に垂直面１０８が形成されるように裁断している。
【００１１】
その後、図６（Ｂ）に示したように、畳床１００の裁断方向Ｃにおいて、下流側に設けた傾斜裁断刃２０６によって、畳床１００の垂直面１０８に対して、畳床１００を傾斜角度γで裁断することにより、畳床１００の下方を内側に傾斜した傾斜面１１２で裁断している。
【００１２】
これにより、図６（Ｃ）に示したように、断面視で、畳床１００を上方を鉛直方向に垂直面１０８で、下方を内側に傾斜した傾斜面１１２で、畳床１００を裁断するようになっている。
【００１３】
なお、図示しないが、先に、下方を内側に傾斜した傾斜面１１２に切断した後、畳床１００を、上方を鉛直方向に垂直面１０８で切断して、畳床１００を裁断する場合もある。
【００１４】
また、畳床１００の長手方向側である平刺１０４側も、同様にして裁断されるようになっている。
【先行技術文献】
【特許文献】
【００１５】
【特許文献１】特許第５１２０９３５号公報
【特許文献２】特開２０１１−９９２１５号公報
【特許文献３】特開２０１４−１１９８０号公報
【特許文献４】特開２００５−１２４４０７号公報
【特許文献５】特開平１０−１７８８６０号公報
【発明の概要】
【発明が解決しようとする課題】
【００１６】
このように畳床１００を裁断する場合、従来は、図７（Ａ）の概略図に示したように、平刺側１０４は、畳床１００の裁断方向Ｄに移動可能な移動機構２０１が設けられており、この移動機構２０２に、例えば、垂直裁断刃を構成する小径の八角刃２１０と、傾斜裁断刃を構成する下流側の大径のチップソー２１２を用いて裁断するようになっている。
【００１７】
また、図７（Ｂ）の概略図に示したように、框１０２側は、畳床１００の裁断方向Ｃに移動可能な移動機構２０２が設けられており、この移動機構２０２に、例えば、垂直裁断刃を構成する小径のナイフ刃２１４と、傾斜裁断刃を構成する下流側の大径のチップソー２１６を用いて裁断するようになっている。
【００１８】
しかしながら、最近では、図示しないが、裁断刃の研磨、交換などの作業を省力化するために、小径の八角刃２１０、小径のナイフ刃２１４の代わりに、チップソーを用いる場合が多くなっている。
【００１９】
ところで、畳床１００は、図８（Ａ）の断面視で示したように、例えば、インシュレーションボード、藁、ポリスチレンフォーム、アルミニウム、ファイバーシート、プラスチックダンボールなどから構成される芯材１２０を備えている。
【００２０】
そして、畳床１００の表面には、手触り、足触りの触感を改善するために、例えば、不織布などの表面材１２２が設けられている。
【００２１】
さらに、畳床１００の裏面には、例えば、紙、麻、化成品などからなる裏シート材１２４が設けられている。
【００２２】
このように、畳床１００は、様々な素材が組み合わせて使用される複合体であって、このような素材を組み合わせて縫着されている。この場合、図８（Ｂ）の断面図に示したように、縫着は、主に、「環縫い」とよばれる一本の縫着糸１３０によって、輪状に縫着されるようになっている。
【００２３】
従って、特に、小径の刃がチップソーから構成される場合には、回転数が多くなく、しかも、小径のチップソーを駆動する回転モーターの駆動力（トルク）が、比較的小さい。
【００２４】
このため、図示しないが、前述したような、環縫いされた縫着糸１３０、不織布などの表面材１２２、裏シート材１２４が、チップソーのチップ刃によって、巻き上げられて、この巻き上げられた部分（短冊または紐形状）が、チップソーの回転軸に巻き付いて、回転できなくなり、畳床１００の裁断不良が発生する。
【００２５】
また、図９に示したように、従来、一般的に用いられている畳床の裁断刃３００は、回転駆動軸に軸着される軸着部３０２と、この軸着部３０２に軸着された図示しない駆動モーターの回転力によって、所定の速度で回転方向Ａに回転される略円板形状の回転刃本体３０４を備えている。
【００２６】
また、回転刃本体３０４の周縁に一定間隔離間して突設した曲線形状の複数の突設部３０６が、形成されている。さらに、この突設部３０６には、それぞれ、回転方向Ａの突設面３０８に、チップ刃３１０が配置されている。
【００２７】
すなわち、回転刃本体３０４の鉛直方向と、チップ刃３１０の接線方向とで形成される、すくい角度αが、回転方向Ａに対して、図９では、例えば、＋２０°となっている。
【００２８】
また、チップ刃３１０の接線方向と、切断される畳床１００の切断入射面Ｐとで形成される、切断角度βが、回転方向Ａに対して、例えば、＋６０°となっている。
【００２９】
このため、チップ刃３１０が切断される畳床１００の切断入射面Ｐに対して接触して切断される際には、図１０の拡大図の矢印Ｂで示したように、回転刃本体３０４の中心Ｏから遠い部分３０４ｂから、中心Ｏから近い部分３０４ａに至るようになっている。
【００３０】
従って、従来の畳床の裁断刃３００では、例えば、前述したような環縫いされた縫着糸１３０、不織布などの表面材１２２、裏シート材１２４が、チップ刃３１０によって、図示しないが、巻き上げられて、この巻き上げられた部分が、回転軸に向かって巻き込まれていく。
【００３１】
また、図１０の拡大図に示したように、巻き上げられた部分が、チップ刃３１０の内径側において、突設部３０６の突設面３０８に形成された溝部分３０８ａに巻き込まれてしまうことにもなる。
【００３２】
このため、裁断刃３００が回転できなくなって、畳床１００の裁断不良が発生することになる。
【００３３】
また、特許文献３（特開２０１４−１１９８０号公報）には、雑草などを刈り取る刈払い機に装着される刈払い用チップソーが開示されている。
【００３４】
この特許文献３の裁断刃４００を、畳床１００の裁断に用いようとする場合には、図１１に示したように、回転刃本体４０４の鉛直方向と、チップ刃４１０の接線方向とで形成される、すくい角度αが、０°〜−１０°に設定されている。
【００３５】
従って、図１２に示したように、チップ刃４１０の接線方向と、切断される畳床１００の切断入射面Ｐとで形成される、切断角度βが、回転方向Ａに対して、＋７０°程度となっている。
【００３６】
このため、この場合にも、チップ刃４１０が切断される畳床１００の切断入射面Ｐに対して接触して切断される際には、図１２の拡大図の矢印Ｂで示したように、回転刃本体４０４の中心Ｏから遠い部分４０４ｂから、中心Ｏから近い部分４０４ａに至るようになっている。
【００３７】
この場合にも、前述したように、従来の裁断刃３００と同様に、環縫いされた縫着糸１３０、不織布などの表面材１２２、裏シート材１２４が、チップ刃４１０によって、図示しないが、巻き上げられて、この巻き上げられた部分が、回転軸に向かって巻き込まれていく。
【００３８】
また、図１２の拡大図に示したように、巻き上げられた部分が、チップ刃４１０の内径側において、突設部４０６の突設面４０８に形成された溝部分４０８ａに巻き込まれてしまうことにもなる。
【００３９】
このため、裁断刃４００が回転できなくなって、畳床１００の裁断不良が発生することになる。
【００４０】
さらに、特許文献４（特開２００５−１２４４０７号公報）、特許文献５（特開平１０−１７８８６０号公報）には、草刈性能と耐久性を向上させるとともに、左右どちらに回転させても草刈可能な草刈用チップソーが提案されている。
【００４１】
しかしながら、いずれも左右どちらに回転させても草刈可能なように両面にチップ刃を単に形成したものであって、いずれも前述したような、巻き上げ、巻き込みによる、回転刃の回転不良、裁断不良を解消しているものではない。
【００４２】
本発明は、このような現状に鑑み、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生することがない畳床の裁断刃および畳床の裁断方法ならびに畳床の裁断装置を提供することを目的とする。
【００４３】
また、本発明は、特に、回転数が多くなく、しかも、小径の裁断刃を駆動する回転モーターの駆動力（トルク）が、比較的小さい場合でも、巻き上げ、巻き込みによる、回転刃の回転不良、裁断不良が発生しない畳床の裁断刃および畳床の裁断方法ならびに畳床の裁断装置を提供することを目的とする。
【課題を解決するための手段】
【００４４】
本発明は、前述したような従来技術における課題及び目的を達成するために発明されたものであって、本発明の畳床の裁断刃は、
畳床を裁断するための畳床の裁断刃であって、
回転駆動軸に軸着され、所定の速度で回転される略円板形状の回転刃本体と、
前記回転刃本体の周縁に一定間隔離間して突設した曲線形状の複数の突設部と、
前記突設部の回転方向の突設面に配置されたチップ刃とを備え、
前記チップ刃が回転の際に、前記回転刃本体の中心Ｏから近い部分から、遠い部分に至るように、切断される畳床の切断入射面Ｐに対して接触して切断されるように構成したことを特徴とする。
【００４５】
このように構成することによって、チップ刃が回転の際に、切断される畳床の切断入射面Ｐに対して接触して切断される。この際、回転刃本体の中心Ｏから近い部分から、遠い部分に至るように、切断されることになる。
【００４６】
これにより、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を裁断することができる。
【００４７】
また、本発明の畳床の裁断方法は、
畳床を裁断する畳床の裁断方法であって、
回転駆動軸に軸着され、所定の速度で回転される略円板形状の回転刃本体と、
前記回転刃本体の周縁に一定間隔離間して突設した曲線形状の複数の突設部と、
前記突設部の回転方向の突設面に配置されたチップ刃とを備え、
前記チップ刃が回転の際に、前記回転刃本体の中心Ｏから近い部分から、遠い部分に至るように、切断される畳床の切断入射面Ｐに対して接触して切断されるように構成した畳床の裁断刃を用いて、
前記回転刃本体の中心Ｏから、切断される畳床の切断入射面Ｐまでの距離Ｘを設定して、畳床を裁断することを特徴とする畳床の裁断方法。
【００４８】
このように構成することによって、チップ刃が回転の際に、切断される畳床の切断入射面Ｐに対して接触して切断される。
【００４９】
この際、回転刃本体の中心Ｏから、切断される畳床の切断入射面Ｐまでの距離Ｘを設定しているので、畳床を裁断する際に、回転刃本体の中心Ｏから近い部分から、遠い部分に至るようになり、確実に切断されることになる。
【００５０】
これにより、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を裁断することができる。
【００５１】
また、本発明では、前記回転刃本体の鉛直方向と、前記チップ刃の接線方向とで形成される、すくい角度αが、回転方向に対して、−３０°〜−６０°の範囲であることを特徴とする。
【００５２】
このように構成することによって、回転刃本体の鉛直方向と、チップ刃の接線方向とで形成される、すくい角度αが、回転方向に対して、−３０°〜−６０°の範囲にある。
【００５３】
従って、チップ刃が回転の際に、切断される畳床の切断入射面Ｐに対して接触して切断される。この際、回転刃本体の中心Ｏから近い部分から、遠い部分に至るように、確実に切断されることになる。
【００５４】
これにより、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を裁断することができる。
【００５５】
また、本発明では、前記チップ刃の接線方向と、切断される畳床の切断入射面Ｐとで形成される、切断角度βが、回転方向に対して、０°〜−３０°の範囲であることを特徴とする。
【００５６】
このように構成することによって、チップ刃の接線方向と、切断される畳床の切断入射面Ｐとで形成される、切断角度βが、回転方向に対して、０°〜−３０°の範囲にある。
【００５７】
従って、チップ刃が回転の際に、切断される畳床の切断入射面Ｐに対して接触して切断される。この際、回転刃本体の中心Ｏから近い部分から、遠い部分に至るように、確実に切断されることになる。
【００５８】
これにより、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を裁断することができる。
【００５９】
また、本発明は、前述のいずれかに記載の畳床の裁断刃を備えたことを特徴とする畳床の裁断装置である。
【００６０】
これにより、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を裁断することができる。
【００６１】
また、本発明の畳床の裁断装置は、
畳床の框側または平刺側を断面視で、上方を鉛直方向に垂直面で裁断する垂直裁断刃と、
前記畳床を断面視で、下方を内側に傾斜した傾斜面で裁断する傾斜裁断刃と
を備えた畳床の裁断装置であって、
前記垂直裁断刃、傾斜裁断刃のうち少なくとも一方が、前述のいずれかに記載の畳床の裁断刃であることを特徴とする。
【００６２】
このように構成することによって、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を図５に示したように、框１０２側の裁断は、畳を敷き詰めやすいように、断面視で、畳床１００を上方を鉛直方向に垂直面１０８で、下方を内側に傾斜した傾斜面１１２で、畳床１００を裁断することができる。
【発明の効果】
【００６３】
本発明によれば、チップ刃が回転の際に、切断される畳床の切断入射面Ｐに対して接触して切断される。この際、回転刃本体の中心Ｏから近い部分から、遠い部分に至るように、切断されることになる。
【００６４】
これにより、例えば、環縫いされた縫着糸、不織布などの表面材、裏シート材が、裁断刃のチップ刃によって、巻き上げられることがなく、この巻き上げられた部分が、裁断刃の回転軸に巻き付かず、円滑に回転でき、畳床の裁断不良が発生せず、確実に所定の裁断寸法に畳床を裁断することができる。
【図面の簡単な説明】
【００６５】
【図１】図１は、本発明の畳床の裁断装置に用いられる畳床の裁断刃および畳床の裁断方法を説明する畳床の裁断刃の全体を示す正面図である。
【図２】図２は、図１の部分拡大図である。
【図３】図３は、畳床の裁断方法を説明する図２と同様な部分拡大図である。
【図４】図４は、従来の畳床の裁断装置によって畳床を裁断する状態を説明する上面図である。
【図５】図５は、従来の畳床の裁断装置によって畳床を裁断する状態を説明する畳床の部分拡大断面図である。
【図６】図６は、従来の畳床の裁断装置２００によって畳床を裁断する状態を説明する畳床の部分拡大断面図である。
【図７】図７は、従来の畳床の裁断装置によって畳床を裁断する状態を説明する畳床の部分拡大断面図である。
【図８】図８は、畳床１００の部分拡大断面図である。
【図９】図９は、従来の畳床の裁断刃３００の全体を示す正面図である。
【図１０】図１０は、従来の畳床の裁断刃３００の部分拡大図である。
【図１１】図１１は、従来の畳床の裁断刃３００の部分拡大図である。
【図１２】図１２は、従来の畳床の裁断刃３００の部分拡大図である。
【発明を実施するための形態】
【００６６】
以下、本発明の実施の形態（実施例）を図面に基づいてより詳細に説明する。
（実施例１）
【００６７】
図１は、本発明の畳床の裁断装置に用いられる畳床の裁断刃および畳床の裁断方法を説明する畳床の裁断刃の全体を示す正面図、図２は、図１の部分拡大図、図３は、畳床の裁断方法を説明する図２と同様な部分拡大図である。
【００６８】
図１〜図２において、符号１０は、全体で本発明の畳床の裁断刃を示している。
【００６９】
本発明の畳床の裁断刃１０は、図示しない畳床の裁断装置の回転駆動軸に軸着される軸着部１２を備えている。
【００７０】
そして、この軸着部１２に軸着された図示しない畳床の裁断装置の駆動モーターの回転力によって、所定の速度で回転方向Ａに回転される略円板形状の回転刃本体１４を備えている。
【００７１】
また、回転刃本体１４の周縁に一定間隔離間して突設した二次曲線形状の複数の突設部１６が、形成されている。さらに、この突設部１６には、それぞれ、回転方向Ａの突設面１８に、チップ刃２０が配置されている。
【００７２】
すなわち、回転刃本体１４の鉛直方向と、チップ刃２０の接線方向とで形成される、すくい角度αが、回転方向Ａに対して、図１に示したように、−３０°〜−６０°の範囲とするのが望ましい。なお、図１では、例えば、−４５°の場合を図示している。
【００７３】
また、チップ刃２０の接線方向と、切断される畳床１００の切断入射面Ｐとで形成される、切断角度βが、回転方向Ａに対して、０°〜−３０°の範囲とするのが望ましい。なお、図２、図３では、例えば、例えば、−３°となっている。
【００７４】
さらに、このような範囲に、切断角度βが構成されるように、上記のすくい角度α、回転刃本体１４の中心Ｏから、切断される畳床１００の切断入射面Ｐまでの距離Ｘを設定して、畳床１００を裁断するようにすれば良い。
【００７５】
すなわち、従来の畳床の裁断刃３００では、チップ刃３１０が切断される畳床１００の切断入射面Ｐに対して接触して切断される際には、図１０の拡大図の矢印Ｂで示したように、回転刃本体３０４の中心Ｏから遠い部分３０４ｂから、近い部分３０４ａに至るようになっている。
【００７６】
従って、従来の畳床の裁断刃３００では、例えば、前述したような環縫いされた縫着糸１３０、不織布などの表面材１２２、裏シート材１２４が、チップ刃３１０によって、図１０のように巻き上げられて、この巻き上げられた部分が、回転軸に向かって巻き込まれていく。
【００７７】
また、図１０の拡大図に示したように、巻き上げられた部分が、チップ刃３１０の内径側において、突設部３０６の突設面３０８に形成された溝部分３０８ａに巻き込まれてしまうことにもなる。
【００７８】
このため、裁断刃３００が回転できなくなって、畳床１００の裁断不良が発生することになる。
【００７９】
これに対して、本願発明の畳床の裁断刃１０では、前述したように、回転刃本体１４の鉛直方向と、チップ刃２０の接線方向とで形成される、すくい角度αが、回転方向Ａに対して、図１に示したように、−３０°〜−６０°の範囲に設定されている。
【００８０】
また、チップ刃２０の接線方向と、切断される畳床１００の切断入射面Ｐとで形成される、切断角度βが、回転方向Ａに対して、０°〜−３０°の範囲に設定されている。
【００８１】
しかも、このような範囲に、切断角度βが構成されるように、すくい角度α、回転刃本体１４の中心Ｏから、切断される畳床１００の切断入射面Ｐまでの距離Ｘを設定して、畳床１００を裁断するようになっている。
【００８２】
従って、本願発明の畳床の裁断刃１０では、図２、図３に示したように、チップ刃２０が回転の際に、切断される畳床１００の切断入射面Ｐに対して接触して切断される。
【００８３】
この際、回転刃本体１４の中心Ｏから、切断される畳床１００の切断入射面Ｐまでの距離Ｘを設定しているので、畳床１００を裁断する際に、図１〜図３の矢印Ｅに示したように、回転刃本体１４の中心Ｏから近い部分１４ａから、中心Ｏから遠い部分１４ｂに至るようになり（すなわち、内側から外側に向かって）、確実に切断されることになる（図３の二点鎖線参照）。
【００８４】
これにより、例えば、環縫いされた縫着糸１３０、不織布などの表面材１２２、裏シート材１２４が、畳床の裁断刃１０のチップ刃２０によって、巻き上げられることがなく、この巻き上げられた部分が、畳床の裁断刃１０の回転軸に巻き付かず、円滑に回転でき、畳床１００の裁断不良が発生せず、確実に所定の裁断寸法に畳床１００を裁断することができる。
【００８５】
以上、本発明の好ましい実施の態様を説明してきたが、本発明はこれに限定されることはなく、例えば、上記実施例では、本発明の畳床の裁断刃１０の構造についてのみ説明した。
【００８６】
しかしながら、本発明の畳床の裁断刃１０は、畳床の框１０２側または平刺１０４側を断面視で、図７に示したように、上方を鉛直方向に垂直面で裁断する垂直裁断刃と、畳床を断面視で、下方を内側に傾斜した傾斜面で裁断する傾斜裁断刃とを備えた畳床の裁断装置において、垂直裁断刃、傾斜裁断刃のうち少なくとも一方に、本発明の畳床の裁断刃１０を採用することができる。
【００８７】
さらに、このような２つの裁断刃を有する畳床の裁断装置以外にも、複数または単数の裁断刃にも適用可能であるなど本発明の目的を逸脱しない範囲で種々の変更が可能である。
【産業上の利用可能性】
【００８８】
本発明は、例えば、縁無し畳、縁付き畳などの畳に用いる畳床の裁断刃および畳床の裁断方法ならびに畳床の裁断装置に適用することができる。
【符号の説明】
【００８９】
１    裁断装置
１０    畳床の裁断刃
１２    軸着部
１４    回転刃本体
１４ａ    中心Ｏから近い部分
１４ｂ    中心Ｏから遠い部分
１６    突設部
１８    突設面
２０    チップ刃
１００    畳床
１０２    框
１０２ａ    一方側
１０２ｂ    他方側
１０４    平刺側
１０８    垂直面
１１２    傾斜面
１１４    畳床押さえ部材
１２０    芯材
１２２    表面材
１２４    裏シート材
１３０    縫着糸
２００    裁断装置
２０１、２０２    移動機構
２０４    垂直裁断刃
２０６    傾斜裁断刃
２１０    八角刃
２１２    チップソー
２１４    ナイフ刃
２１６    チップソー
３００    裁断刃
３０２    軸着部
３０４    回転刃本体
３０４ａ    中心Ｏから近い部分
３０４ｂ    中心Ｏから遠い部分
３０６    突設部
３０８    突設面
３０８ａ    溝部分
３１０    チップ刃
４００    裁断刃
４０４    回転刃本体
４０４ａ    中心Ｏから近い部分
４０４ｂ    中心Ｏから遠い部分
４０６    突設部
４０８    突設面
４０８ａ    溝部分
４１０    チップ刃
Ａ    回転方向
Ｂ    矢印
Ｃ、Ｄ    裁断方向
Ｅ    矢印
Ｏ    中心
Ｐ    切断入射面
Ｘ    距離
α    すくい角度
β    切断角度
γ    傾斜角度
【図１】
2019150905.tif 000003
【図２】
2019150905.tif 000004
【図３】
2019150905.tif 000005
【図４】
2019150905.tif 000006
【図５】
2019150905.tif 000007
【図６】
2019150905.tif 000008
【図７】
2019150905.tif 000009
【図８】
2019150905.tif 000010
【図９】
2019150905.tif 000011
【図１０】
2019150905.tif 000012
【図１１】
2019150905.tif 000013
【図１２】
2019150905.tif 000014